(57)【要約】【課題】  使用済みの容器の洗浄、圧縮、回収の一連の作業を容易且つ確実に行う。【解決手段】  本発明に係る容器処理装置は、装置本体の外部において手動操作可能に設けられた操作部と、容器投入口から投入された容器を前記装置本体の内部において所定姿勢に保持可能な容器保持機構と、該容器保持機構に保持された容器を横方向に圧縮可能な圧縮機構と、前記操作部の動作を前記圧縮機構に伝達可能なように前記操作部と前記圧縮機構とを連結する伝達機構とを備え、前記圧縮機構は、前記容器の一方の周壁面に対して近接離反可能なように前記伝達機構側に設けられた容器第１圧縮機構と、前記一方の周壁面の反対側の他方の周壁面に対して近接離反可能なように前記容器保持機構側に設けられた容器第２圧縮機構とから構成されており、前記容器第１圧縮機構と前記容器第２圧縮機構とが協動して前記容器を圧縮、減容可能なように構成されていることを特徴とする。【選択図】  図２
2006187781.tif 000002
【特許請求の範囲】
【請求項１】
使用済みの容器を圧縮、減容し、回収するための容器処理装置であって、
装置本体の外部において手動操作可能に設けられた操作部と、
容器投入口から投入された容器を前記装置本体の内部において所定姿勢に保持可能な容器保持機構と、
該容器保持機構に保持された容器を横方向に圧縮可能な圧縮機構と、
前記操作部の動作を前記圧縮機構に伝達可能なように前記操作部と前記圧縮機構とを連結する伝達機構と、
を備え、前記圧縮機構は、前記容器の一方の周壁面に対して近接離反可能なように前記伝達機構側に設けられた容器第１圧縮機構と、前記一方の周壁面の反対側の他方の周壁面に対して近接離反可能なように前記容器保持機構側に設けられた容器第２圧縮機構とから構成されており、前記容器第１圧縮機構と前記容器第２圧縮機構とが協動して前記容器を圧縮、減容可能なように構成されていることを特徴とする容器処理装置。
【請求項２】
前記第１圧縮機構は、前記容器の一方の周壁面を押圧可能なように突設された第１押圧部と、前記第２圧縮機構に向かって延出する作用部とを備え、
前記容器第２圧縮機構は、前記容器の他方の周壁面を押圧可能なように突設された第２押圧部と、前記作用部が当接することにより前記第２押圧部を前記他方の周壁面に近接させる駆動部とを備えている請求項１に記載の容器処理装置。
【請求項３】
前記第１押圧部及び前記第２押圧部にはそれぞれ、前記容器の押圧時に、前記容器の周壁面に穿孔可能な尖鋭部が形成されている請求項２に記載の容器処理装置。
【請求項４】
前記容器保持機構は、前記容器を縦向きに投入可能な容器投入口から下傾して形成された容器誘導部と、該容器誘導部の下方に設けられ、開口部を下向きにした姿勢で前記容器を保持可能な容器姿勢保持部とを備え、
該容器姿勢保持部に保持された前記容器の内部を洗浄可能な洗浄機構がさらに設けられており、該洗浄機構は、
洗浄液を貯留する洗浄液貯留部と、
前記容器姿勢保持部に設けられ、前記容器の開口部からその内部に洗浄液を噴出可能に設けられた洗浄液噴出部と、
前記装置本体の外部に設けられ、前記洗浄液貯留部内の洗浄液を前記洗浄液噴出部に圧送させる圧送操作部と、
を備えている請求項１〜３のいずれか１の請求項に記載の容器処理装置。
【請求項５】
前記容器姿勢保持部は、前記容器の開口部の外径以上且つ前記容器の本体部の外径以下の距離、離間して並設され、互いに内側に向かって回転可能な２個のローラと、前記容器姿勢保持部の下端を開閉可能な開閉部材とを備えている請求項４に記載の容器処理装置。
【請求項６】
前記開閉部材は、前記容器の圧縮、減容動作完了後、前記伝達機構の動きに伴い、前記容器姿勢保持部の下端を開放可能なように構成されており、
前記容器姿勢保持部の下方には減容容器を収容する減容容器回収機構がさらに設けられている請求項５に記載の容器処理装置。
【請求項７】
前記減容容器回収機構は、前記減容容器を収容可能な容器回収箱と、前記洗浄液貯留部の上方において前記容器回収箱側に傾斜して設けられた回収箱案内部とを備えており、前記容器姿勢保持部の下端から落下した前記減容容器が前記回収箱案内部に案内されて前記容器回収箱に収容されるように構成されている請求項６に記載の容器処理装置。
【請求項８】
前記操作部の操作に連動して並列回転可能に設けられた複数のリールと、該各リールの外周面に表示された図柄を前記装置本体の外部から視認可能な視認窓とを備えており、前記操作部の操作に連動して、前記各リールがそれぞれ回転後、停止し、該各リールの停止図柄の組合せが所定の組合せになった場合に、所定の特典が付与されるように構成されている請求項１〜７のいずれか１の請求項に記載の容器処理装置。
【発明の詳細な説明】
【技術分野】
【０００１】
本発明は、使用済みのペットボトル等の各種容器を圧縮、減容し、回収するための容器処理装置に関する。
【背景技術】
【０００２】
近年、深刻化するゴミ処理問題の解決策の一つとして、使用済みのペットボトルやアルミニウム製又はスチール製の空き缶等、各種容器を回収し、リサイクルを図ることが推進されており、それらの容器を効率よく回収するために、使用済みの容器を回収前に圧縮、減容することが広く行われている。そして、従来、使用済みの容器を圧縮、減容する容器処理装置としては、ローラやプレス機を備えたものが知られている。（例えば、特許文献１、２参照。）
【特許文献１】特開２００４−１２２１４２号公報
【特許文献２】特開２００４−１３６５８８号公報
【発明の開示】
【発明が解決しようとする課題】
【０００３】
ところが、上記した従来の容器処理装置では、ローラやプレス機を駆動させるための駆動源が必要となり、装置が大型化し、製造コストが増大すると共に、操作が複雑化し、安全性の面から装置の近くに操作に熟練したオペレータを配置しなければならないといった問題があった。
【０００４】
また、プレス機を備えた従来の容器処理装置では、容器を縦方向に圧縮するようになっているため、減容容器の回収後にリサイクル工場の選別過程において減容容器がＸ線を通さず、塩化ビニル製の容器と誤認され、リサイクルラインから外されてしまうといった問題があった。
【０００５】
さらに、従来の容器処理装置には、圧縮、減容する前に容器内を洗浄する機構を備えたタイプのものもあるが、この種の容器処理装置では、容器を洗浄及び圧縮した後に減容容器を容器回収箱に移動させたり、或いは、容器を洗浄後、圧縮するためにローラにセットし直したり、容器処理作業の途中で人手により容器を移動させる工程が必要であった。そのため、容器の処理作業に手間が掛かるといった問題があった。
【０００６】
本発明は、上記した課題を解決すべくなされたものであり、誰にでも手軽に操作ができ、使用済みの容器の洗浄、圧縮、回収の一連の作業を容易且つ確実に行うことができ、小型化が図れ、コストの低減化が可能な容器処理装置を提供しようとするものである。
【課題を解決するための手段】
【０００７】
本発明は、使用済みの容器を圧縮、減容し、回収するための容器処理装置であって、装置本体の外部において手動操作可能に設けられた操作部と、容器投入口から投入された容器を前記装置本体の内部において所定姿勢に保持可能な容器保持機構と、該容器保持機構に保持された容器を横方向に圧縮可能な圧縮機構と、前記操作部の動作を前記圧縮機構に伝達可能なように前記操作部と前記圧縮機構とを連結する伝達機構とを備え、前記圧縮機構は、前記容器の一方の周壁面に対して近接離反可能なように前記伝達機構側に設けられた容器第１圧縮機構と、前記一方の周壁面の反対側の他方の周壁面に対して近接離反可能なように前記容器保持機構側に設けられた容器第２圧縮機構とから構成されており、前記容器第１圧縮機構と前記容器第２圧縮機構とが協動して前記容器を圧縮、減容可能なように構成されていることを特徴とする。
【０００８】
そして、好ましくは、前記第１圧縮機構は、前記容器の一方の周壁面を押圧可能なように突設された第１押圧部と、前記第２圧縮機構に向かって延出する作用部とを備え、
前記容器第２圧縮機構は、前記容器の他方の周壁面を押圧可能なように突設された第２押圧部と、前記作用部が当接することにより前記第２押圧部を前記他方の周壁面に近接させる駆動部とを備えているのがよい。
【０００９】
また、前記第１押圧部及び前記第２押圧部にはそれぞれ、前記容器の押圧時に、前記容器の周壁面に穿孔可能な尖鋭部が形成されていてもよい。
【００１０】
さらに、前記容器保持機構は、前記容器を縦向きに投入可能な容器投入口から下傾して形成された容器誘導部と、該容器誘導部の下方に設けられ、開口部を下向きにした姿勢で前記容器を保持可能な容器姿勢保持部とを備え、該容器姿勢保持部に保持された前記容器の内部を洗浄可能な洗浄機構がさらに設けられており、該洗浄機構は、洗浄液を貯留する洗浄液貯留部と、前記容器姿勢保持部に設けられ、前記容器の開口部からその内部に洗浄液を噴出可能に設けられた洗浄液噴出部と、前記装置本体の外部に設けられ、前記洗浄液貯留部内の洗浄液を前記洗浄液噴出部に圧送させる圧送操作部とを備えていてもよい。
【００１１】
さらにまた、前記容器姿勢保持部は、前記容器の開口部の外径以上且つ前記容器の本体部の外径以下の距離、離間して並設され、互いに内側に向かって回転可能な２個のローラと、前記容器姿勢保持部の下端を開閉可能な開閉部材とを備えていてもよい。
【００１２】
また、前記開閉部材は、前記容器の圧縮、減容動作完了後、前記伝達機構の動きに伴い、前記容器姿勢保持部の下端を開放可能なように構成されており、前記容器姿勢保持部の下方には減容容器を収容する減容容器回収機構がさらに設けられていてもよい。
【００１３】
さらに、前記減容容器回収機構は、前記減容容器を収容可能な容器回収箱と、前記洗浄液貯留部の上方において前記容器回収箱側に傾斜して設けられた回収箱案内部とを備えており、前記容器姿勢保持部の下端から落下した前記減容容器が前記回収箱案内部に案内されて前記容器回収箱に収容されるように構成されていてもよい。
【００１４】
さらにまた、前記操作部の操作に連動して並列回転可能に設けられた複数のリールと、該各リールの外周面に表示された図柄を前記装置本体の外部から視認可能な視認窓とを備えており、前記操作部の操作に連動して、前記各リールがそれぞれ回転後、停止し、該各リールの停止図柄の組合せが所定の組合せになった場合に、所定の特典が付与されるように構成されていてもよい。
【発明の効果】
【００１５】
本発明によれば、使用済みの容器の洗浄、圧縮、回収の一連の作業の途中で容器を人手により移動させる必要がなく、また、操作が単純で誰でも手軽に操作を行うことができ、熟練したオペレータを装置の近くに配置する必要がないため、容器の処理作業を簡素化することができる。さらに、ローラやプレス機を駆動させるための駆動源を必要としないため、電力が不要となると共に装置の小型化が図れ、製造コストの低減化が可能となる。したがって、企業のオフィスや公共施設等にも容易に設置することが可能となるため、装置の販路を拡大できると共に、企業等のゴミ処理コストの削減に貢献することができる。
【００１６】
また、容器を横方向に圧縮するようになっているため、減容容器の回収後にリサイクル工場の選別過程において塩化ビニル製の容器と誤認されることがなく、リサイクル作業の効率化を図ることができる。
【００１７】
さらに、スロットマシンのような遊技性をも備えているため、利用者は楽しみながら操作することができる等、種々の優れた効果を得ることができる。
【発明を実施するための最良の形態】
【００１８】
以下、図面を参照しつつ、本発明の実施の形態について説明する。なお、以下の説明では、本発明を使用済みのペットボトルの処理に適用した場合について例示して説明する。ここで、図１は本実施の形態に係る容器処理装置を示す斜視図、図２は使用済みのペットボトルを容器姿勢保持部に保持した状態示す図、図３は使用済みのペットボトルを圧縮機構により圧縮している状態を示す図、図４は減容したペットボトルを減容容器回収機構により回収している状態を示す図、図５は圧縮機構を示す斜視図、図６は開閉部材の開放方法を示す斜視図、図７は圧縮機構の作用を示し、（ａ）は使用済みのペットボトルを圧縮機構にセットした状態を示す図、（ｂ）はそのペットボトルを圧縮機構により圧縮、減容している状態を示す図である。
【００１９】
本実施の形態に係る容器処理装置１は、縦長直方体の箱状を成す装置本体２と、装置本体２の外部側面に手動操作可能に設けられた操作部３と、装置本体２の内部において使用済みのペットボトル４を所定姿勢に保持可能な容器保持機構５と、容器保持機構５に保持されたペットボトル４を横方向に圧縮可能な圧縮機構６と、操作部３の動作を圧縮機構６に伝達可能なように操作部３と圧縮機構６とを連結する伝達機構７と、容器保持機構５に保持されたペットボトル４の内部を洗浄可能な洗浄機構８と、圧縮機構６により圧縮された減容ペットボトル４を収容する減容容器回収機構９と、操作部３の操作に連動して並列回転可能に設けられた複数のリール１０と、各リール１０の外周面に表示された図柄を装置本体２の外部から視認可能なように設けられた視認窓１１とを主体に構成されている。
【００２０】
装置本体２の正面上部には、ペットボトル４の本体部１２の外径より大径の容器投入口１３が円形に開口されており、この容器投入口１３からは開口部１４側を下方に向けた状態でペットボトル４を装置本体２の内部に投入可能となっている。また、装置本体２の正面下部には、回収箱収容部１５が開口されており、この回収箱収容部１５は後述する容器回収箱７７を収容可能且つ前方に引き出し可能なように形成されている。
【００２１】
操作部３は、棒状を成し、基端部１６が装置本体２の側面に枢設され、常には基端部１６から先端部１７に向かって前側上方に延出した基準姿勢を保持し、操作時にはその基準姿勢から下方に回転可能となっている。
【００２２】
容器保持機構５は、容器投入口１３から装置本体２の内部に向かって下傾して形成された容器誘導部１８と、容器誘導部１８の下方において開口部１４を下向きにした姿勢でペットボトル４を保持可能な容器姿勢保持部１９とを備えている。そして、容器姿勢保持部１９には、さらに、ペットボトル４の開口部１４の外径以上且つペットボトル４の本体部１２の外径以下の距離、離間して並設され、互いに内側に向かって回転可能な２個のローラ２０，２１と、容器姿勢保持部１９の下端を開閉可能な開閉部材２２とが設けられている。
【００２３】
開閉部材２２は、左右水平に設けられた回転軸２３を支点に回転可能に設けられ、回転軸２３の前方において容器姿勢保持部１９の下端を閉塞した時にその下端に対して所定の隙間を保持しつつ直角を成すように形成された平板状の容器落下防止部２４と、回転軸２３の後方において容器防止落下防止部２４と所定角度を成すように形成された平板状の後方連結部２５と、後方連結部２５のさらに後方両側部分に枢設された左右係合片２６，２７とから構成されており、ローラ２０，２１は容器落下防止部２４の下端部に取り付けられている。そして、左右係合片２６，２７は、バネ（図示せず）により後方連結部２５と同一面を成すよう付勢されていると共に、前記バネの不勢力に対抗して下方に所定角度回転可能となっている。
【００２４】
圧縮機構６は、ペットボトル４の一方の周壁面２８に対して近接離反可能なように伝達機構７側に設けられた容器第１圧縮機構２９と、一方の周壁面２８の反対側の他方の周壁面３０に対して近接離反可能なように容器保持機構５側に設けられた容器第２圧縮機構３１とから構成されている。
【００２５】
容器第１圧縮機構２９は、所定距離離間して設けられた前後２個一対の台座部３２，３３と、前後台座部３２，３３に挟持された左右２個一対の枢設部３４，３５と、前後台座部３２，３３の下面において両側端部に突設された作用部３６と、各作用部３６の間においてペットボトル４の一方の周壁面２８を押圧可能なように突設された半球形状の弾性部材から成る第１押圧部３８と、各作用部３６と各第１押圧部３８の間にそれぞれ固着された弾性部材製の滑り止め防止部４０とから構成されており、各第１押圧部３８の下端にはそれぞれ針状の第１尖鋭部４２が突設されている。そして、本実施の形態においては、各作用部３６間の離隔距離は、３５０ミリリットル〜１．５リットルまでのペットボトル４の本体部１２を各作用部３６の間に収容可能なように、１４０ｍｍに設定されている。
【００２６】
一方、容器第２圧縮機構３１は、容器第１圧縮機構２９の各作用部３６にそれぞれ対応する位置に枢設された駆動部４４と、各駆動部４４の間に設けられ、バネ３９によりペットボトル４の他方の周壁面３０に離反する方向に付勢されている平板状の台座部８０と、ペットボトル４の他方の周壁面３０を押圧可能なように台座部８０に突設された半球形状の弾性部材から成る第２押圧部４６と、台座部８０の第２押圧部４６の両側にそれぞれ固着された弾性部材製の滑り止め防止部４１とから構成されており、各第２押圧部４６の頂部にはそれぞれ針状の第２尖鋭部４８が突設されている。そして、駆動部４４は、枢軸５０を支点に回動可能なカム形状を成しており、各枢軸５０の外側には各作用部３６が当接可能な当接部５２が形成され、各枢軸５０の内側には台座部８０の下側に係止する係止部５４が形成されている。
【００２７】
伝達機構７は、装置本体２に枢設された第１左右水平軸５６を介して操作部３の基端部１６に対して所定角度を保持するように固着される左右一対の腕部５７，５８と、腕部５７，５８の前端部に固着された第２左右水平軸５９に後端部が枢設されるメインリンク６０と、メインリンク６０の前端部にそれぞれ枢設される第１サブリンク６１及び第２サブリンク６２とから構成されている。そして、第１サブリンク６１は装置本体２に固着された第３左右水平軸５１に枢設され、第２サブリンク６２の前端部には容器第１圧縮機構２９の左右枢設部３４，３５がそれぞれ枢設され、さらに、第１サブリンク６１と第２サブリンク６２との間は引張りバネ６３により連結されている。
【００２８】
また、腕部５８の下方には、腕部５８を介して操作部３を前記基準姿勢に保持するための操作部保持機構６４が設けられており、この操作部保持機構６４は、腕部５８の後端部が係合可能なように凹状に湾曲して形成された腕部係合部６５と、腕部係合部６５に連結されるリンク機構６６と、リンク機構６６の下端部と装置本体２の背面部との間に設けられたバネ６７とから構成されている。
【００２９】
洗浄機構８は、容器姿勢保持部１９の下端下方に設けられ、洗浄液を貯留可能な洗浄液貯留部６８と、容器姿勢保持部１９に保持されたペットボトル４の開口部１４からその内部に洗浄液を噴出可能なように開閉部材２２の容器落下防止部２４に貫設された洗浄液噴出部６９と、洗浄液貯留部６８内の洗浄液を洗浄液噴出部６９に圧送させる圧送操作部７０とを主体に構成されている。そして、圧送操作部７０は、蛇腹状の伸縮自在の部材から成り、装置本体２外部の右側手前下部において前側上方に向かって延出し、操作者が右足で踏み付け操作可能なように設けられている。さらに、洗浄機構８は、洗浄液貯留部６８と洗浄液噴出部６９と圧送操作部７０との間をそれぞれ接続する配管７１と、洗浄液貯留部６８内の配管７１の洗浄液吸い込み側末端に装着されたストレーナ７２とを備えている。
【００３０】
減容容器回収機構９は、減容されたペットボトル４を収容可能な容器回収箱７７と、洗浄液貯留部６８の上方に筒状に形成され、その上端開口部に容器回収箱７７側に傾斜するように蓋部材７８が嵌着された回収箱案内部７９とから構成されており、蓋部材７８には複数の洗浄液流下孔（図示せず）がスリット状に穿設されている。
【００３１】
次に、本実施の形態に係る容器処理装置１の操作手順及びその動作について説明する。
【００３２】
先ず、図１及び図２に示すように操作部３が前記基準姿勢に保持された状態において、開口部１４を下方に向けた姿勢でペットボトル４を容器投入口１３から装置本体２の内部に投入すると、ペットボトル４は容器誘導部１８の傾斜に沿って下方に摺動する。そして、ペットボトル４はその開口部１４周辺がローラ２０，２１に衝突し、各ローラ２０，２１が内側下方に回転することにより、ペットボトル４は開口部１４を下方に向けた姿勢で容器姿勢保持部１９に確実に保持される。
【００３３】
次いで、圧送操作部７０を足で踏み付け、押し込むと、洗浄液貯留部６８内の洗浄液が配管７１内を通って洗浄液噴出部６９に圧送され、その洗浄液は洗浄液噴出部６９からペットボトル４の内部に噴出し、ペットボトル４の内部は洗浄される。洗浄後の洗浄水は、容器姿勢保持部１９と開閉部材２２の間の隙間から流れ落ち、蓋部材７８の前記洗浄液流下孔を通過後、洗浄液貯留部６８に戻される。このように、ペットボトル４の洗浄作業が手動で行われると共に、洗浄液が循環して再利用されるようになっているため、運転コストを低く抑えることができる。また、洗浄液貯留部６８内の配管７１の洗浄液吸い込み側末端にストレーナ７２が装着されているため、洗浄液中のゴミ等が配管７１内に流れ込むことがなく、配管７１の閉塞事故を防止することができる。
【００３４】
次いで、このようにペットボトル４の内部を洗浄した後、操作部３を手前下方（図１の矢印方向）に回転させると、図３に示すように、腕部５７，５８は操作部３と所定角度を保持しながら下方に回転し、腕部５７の後端部と腕部係合部６５との係合状態が解除され、バネ６７の作用によりリンク機構６６が前方に水平移動すると共に、腕部５７，５８の前端部は開閉部材２２の左右の係合片２６，２７にそれぞれ係合する。そして、係合片２６，２７は、前記バネ（図示せず）の不勢力に抗して下方に回転し、腕部５７，５８の前端部との係合状態が解除されると、前記バネの不勢力により元の状態に復帰する。
【００３５】
また、メインリンク６０は降下し、これにより、第１サブリンク６１は第３左右水平軸５１を支点に下方に回転し、引張りバネ６３の不勢力に抗して第１サブリンク６１と第２サブリンク６２は直線状を成し、容器第１圧縮機構２９は容器姿勢保持部１９に保持されたペットボトル４の一方の周壁面２８に近接する方向に移動する。そして、図７（ａ）に示すように、各作用部３６がそれぞれ駆動部４４に当接し、各駆動部４４が枢軸５０を支点に回転し、容器第２圧縮機構３１の台座部８０はバネ３９の不勢力に抗してペットボトル４の他方の周壁面３０に近接する方向に移動する。この結果、図７（ｂ）に示すように、ペットボトル４は第１押圧部３８と第２押圧部４６により両側から押圧されると共に、第１尖鋭部４２及び第２尖鋭部４８により各周壁面２８，３０に穿設され、圧縮、減容される。このように、ペットボトル４を圧縮する際、各周壁面２９，３０が第１尖鋭部４２及び第２尖鋭部４８により穿設されることにより、ペットボトル４の圧縮作業はより一層容易且つ円滑に行うことができるようになる。
【００３６】
その後、操作部３を後側上方に回転させると、図４に示すように、腕部５７，５８は操作部３と所定角度を保持しながら上方に回転し、腕部５７の後端部と腕部係合部６５とが係合し、バネ６７の不勢力に抗してリンク機構６６が後方に水平移動すると共に、腕部５７，５８の前端部が開閉部材２２の左右の係合片２６，２７にそれぞれ係合し、開閉部材２２は回転軸２３を支点に回転し、容器姿勢保持部１９の下端は開放される。
【００３７】
また、メインリンク６０は上昇し、これにより、第１サブリンク６１は第３左右水平軸５１を支点に上方に回転し、引張りバネ６３の不勢力に従い第１サブリンク６１と第２サブリンク６２は所定角度を保たれ、容器第１圧縮機構２９及び容器第２圧縮機構３１はそれぞれペットボトル４の各周壁面２８，３０から離反する方向に移動する。
【００３８】
そして、このように圧縮機構６によるペットボトル４の圧縮動作が完了すると共に容器姿勢保持部１９の下端が開放されると、減容されたペットボトル４は、落下し、蓋部材７８に衝突し、その傾斜に従って容器回収箱７７に収容される。
【００３９】
また、上記したペットボトル４の一連の処理過程において、各リール１０は、いわゆるスロットマシンのように、操作部３の操作に連動して並列回転後、停止するようになっており、その動作及び停止図柄は、視認窓１１を通して視認することができる。そして、各リール１０の停止図柄の組合せが予め設定された所定の組合せになった場合には、その操作した者に対して、容器処理装置１の販売元からプレミアムグッズが送られる等、所定の特典が付与される。
【００４０】
上記したように、本実施の形態によれば、使用済みのペットボトル４の洗浄、圧縮、回収の一連の作業の途中でペットボトル４を人手により移動させる必要がなく、また、操作が単純で誰でも手軽に操作を行うことができ、熟練したオペレータを装置の近くに配置する必要がないため、容器の処理作業の簡素化することができる。さらに、ローラやプレス機を駆動させるための駆動源を必要としないため、電力が不要となると共に装置の小型化が図れ、製造コストの低減化が可能となる。したがって、企業のオフィスや公共施設等にも容易に設置することが可能となるため、装置の販路を拡大できると共に、企業等のゴミ処理コストの削減に貢献することができる。
【００４１】
また、容器を横方向に圧縮するようになっているため、減容容器の回収後にリサイクル工場の選別過程において塩化ビニル製の容器と誤認されることがなく、リサイクル作業の効率化を図ることができる。
【００４２】
さらに、上記した容器処理装置１は、スロットマシンのような遊技性をも備えているため、利用者は楽しみながら操作することができる。
【００４３】
なお、上記した実施の形態において、洗浄後の洗浄液は循環して再利用されるようになっているが、直接排出されるように構成してもよい。
【００４４】
また、操作部３、容器保持機構５、圧縮機構６、伝達機構７、減容容器回収機構９は上記した形状や構造に限定されるものではなく、各種変更が可能である。
【００４５】
さらに、上記実施の形態では、ペットボトル４を処理する場合について説明したが、これは単なる例示に過ぎず、本発明は、アルミニウム製又はスチール製空き缶等、ペットボトル４以外の容器の処理にも適用可能である。
【図面の簡単な説明】
【００４６】
【図１】本発明の実施の形態に係る容器処理装置を示す斜視図である。
【図２】本発明の実施の形態に係る容器処理装置において使用済みの容器を容器姿勢保持部に保持した状態示す図である。
【図３】本発明の実施の形態に係る容器処理装置において使用済みの容器を圧縮機構により圧縮している状態示す図である。
【図４】本発明の実施の形態に係る容器処理装置において減容容器回収機構により減容容器を回収している状態示す図である。
【図５】本発明の実施の形態に係る容器処理装置における容器保持機構及び圧縮機構を示す斜視図である。
【図６】本発明の実施の形態に係る容器処理装置において開閉部材の開放方法を示す斜視図である。
【図７】本発明の実施の形態に係る容器処理装置において圧縮機構の作用を示す図であり、（ａ）は使用済みの容器を圧縮機構にセットした状態を示し、（ｂ）はその容器を圧縮機構により圧縮、減容している状態を示している。
【符号の説明】
【００４７】
１          容器処理装置
２          装置本体
３          操作部
４          ペットボトル
５          容器保持機構
６          圧縮機構
７          伝達機構
８          洗浄機構
９          減容容器回収機構
１０        リール
１１        視認窓
１２        本体部
１３        容器投入口
１４        開口部
１８        容器誘導部
１９        容器姿勢保持部
２０        ローラ
２１        ローラ
２２        開閉部材
２８        一方の周壁面
２９        容器第１圧縮機構
３０        他方の周壁面
３１        容器第２圧縮機構
３６        作用部
３８        第１押圧部
４２        第２尖鋭部
４４        駆動部
４６        第２押圧部
４８        第２尖鋭部
６８        洗浄液貯留部
６９        洗浄液噴出部
７０        圧送操作部
７７        容器回収箱
７９        回収箱案内部
【図１】
2006187781.tif 000003
【図２】
2006187781.tif 000004
【図３】
2006187781.tif 000005
【図４】
2006187781.tif 000006
【図５】
2006187781.tif 000007
【図６】
2006187781.tif 000008
【図７】
2006187781.tif 000009